(57)【要約】【課題】装置を大型化することなく、原稿を下流側原稿搬送部に案内することのできる原稿読取装置を提供する。【解決手段】原稿読取部と原稿搬送部とを備える原稿読取装置であって、原稿読取領域において原稿読取部の上側にコンタクトガラス１０６が設けられ、コンタクトガラス１０６の原稿搬送方向下流側にはマイラー１１５が設けられている。原稿読取領域（コンタクトガラス１０６の上面）を通過した原稿は、マイラー１１５に当接することによって搬送方向を上方に向けられ、下流側搬送路１１４へ案内される。原稿の先端がマイラー１１５に衝突する際には、マイラー１１５が撓んでその衝撃を吸収する。【選択図】図３
2019088010.tif 000002
【特許請求の範囲】
【請求項１】
原稿読取部と前記原稿読取部の上側に配置される原稿搬送部とを備え、前記原稿搬送部によって原稿読取領域に搬送される原稿を前記原稿読取部によって読み取る原稿読取装置であって、
前記原稿読取領域において前記原稿読取部の上側に透明な読取板が設けられ、
前記原稿読取領域を通過した原稿を、前記原稿搬送部であって、前記読取板より原稿搬送方向の下流側に設けた下流側原稿搬送部へ案内するための可撓性部材が設けられており、
前記可撓性部材は、前記下流側原稿搬送部から上流側に延長するように、該可撓性部材の下流側端部が前記下流側原稿搬送部に取り付けられており、
前記可撓性部材と、前記下流側原稿搬送部と前記読取板との間に設けられた部材との間には空間が設けられており、
前記可撓性部材の上流側端部は、前記読取板の上面よりも下方に位置し、且つ、前記原稿搬送方向における前記読取板の下流側側面との間に隙間を有していることを特徴とする原稿読取装置。
【請求項２】
請求項１に記載の原稿読取装置であって、
前記可撓性部材の上流側端部は、自由端であることを特徴とする原稿読取装置。
【請求項３】
請求項１または２に記載の原稿読取装置であって、
前記部材には傾斜面が形成されており、前記空間は、前記可撓性部材と前記傾斜面との間に設けられていることを特徴とする原稿読取装置。
【請求項４】
請求項１または２に記載の原稿読取装置であって、
前記部材は、前記可撓性部材の下方に設けられ、且つ、水平部と、前記水平部の下流側に設けられて前記水平部から上方に立設する立設部とからなり、
前記可撓性部材の上流側端部は、前記読取板の前記下流側側面と前記立設部との間に位置することを特徴とする原稿読取装置。
【請求項５】
請求項１から４の何れか一項に記載の原稿読取装置であって、
前記読取板の下流側であって、前記可撓性部材によって覆われる面に、透明な原稿載置板上に載置される原稿の載置位置、または原稿サイズを示す指標が形成されていることを特徴とする原稿読取装置。
【請求項６】
前記請求項１から５の何れか一項に記載の原稿読取装置を備えていることを特徴とする画像形成装置。
【発明の詳細な説明】
【技術分野】
【０００１】
本発明は、原稿トレイに載置された原稿束から原稿を１枚ずつ搬送し、搬送される原稿の自動読取を行う原稿読取装置、および該原稿読取装置を備えた画像形成装置に関する。
【背景技術】
【０００２】
複写機、複合機、ファクシミリ装置などの画像形成装置では、原稿の画像を読み取る原稿読取装置が備えられている。通常の原稿読取装置では、原稿トレイに載置された原稿束から原稿を１枚ずつ搬送し、搬送される原稿の自動読取が可能である（例えば、特許文献１）。
【０００３】
このような原稿読取装置は、原稿読取部と、その上面に配置されるＡＤＦ（Auto Document Feeder：自動原稿搬送装置）とからなる。原稿読取装置は、原稿読取部のプラテンガラス上に載置された原稿の画像を、光源や反射ミラーを備えた走査ユニットを走査しながら読み取る手動読取モードと、ＡＤＦの原稿トレイに載置された原稿束から原稿を１枚ずつ搬送し、搬送される原稿の画像を読み取る自動読取モードを有している。
【０００４】
自動読取モードでは、原稿トレイから搬送される原稿は、搬送路から原稿読取領域に送られ、結像レンズやＣＣＤ（Charge Coupled Device）により原稿画像が読み取られる。
画像を読み取られた原稿はさらに搬送され、排紙トレイ上へ排出される。
【０００５】
従来の原稿読取装置における原稿読取領域付近の拡大図を図７に示す。原稿読取領域では、原稿読取部の上面にコンタクトガラス５０１が配されている。コンタクトガラス５０１の下方には、光源及び反射ミラーを備えた走査ユニット（図示せず）が位置しており、ＡＤＦの上流側搬送路５１１から原稿読取領域に搬送されてくる原稿は、コンタクトガラス５０１上を通過する際に画像が読み取られる。
【０００６】
原稿読取部の上面において、コンタクトガラス５０１の下流側には傾斜面５０２が設けられている。コンタクトガラス５０１上を通過した原稿は、傾斜面５０２によって搬送方向を上方に向けられ、ＡＤＦの下流側搬送路５１２から排紙トレイ（図示せず）へ案内される。また、ＡＤＦには、傾斜面５０２を通過した後の原稿を下流側搬送路５１２に確実に案内するためのマイラー（可撓性部材）５１３が設けられている。
【先行技術文献】
【特許文献】
【０００７】
【特許文献１】特開２００８−５３６０号公報
【発明の概要】
【発明が解決しようとする課題】
【０００８】
従来の原稿読取装置では、画像が読み取られた後の原稿は、傾斜面５０２によって下流側搬送路５１２に案内され、排紙トレイへ排出される。このような構成では、原稿の先端が傾斜面５０２に衝突する際の衝撃によって搬送速度が変化し、読取画像に画像ブレが生じるといった課題がある。
【０００９】
上記画像ブレは、傾斜面５０２の傾斜を緩やかにし、原稿の先端が傾斜面５０２に衝突する際の衝撃を減らすことでも抑制できる。しかしながらこの場合は、傾斜面５０２における原稿搬送方向の幅が大きくなり、原稿読取装置が大型化するといった問題がある。
【００１０】
本発明は、上記課題に鑑みてなされたものであり、装置を大型化することなく、読取画像の画像ブレを抑制できる原稿読取装置を提供することを目的とする。
【課題を解決するための手段】
【００１１】
上記の課題を解決するために、本発明の原稿読取装置は、原稿読取部と前記原稿読取部の上側に配置される原稿搬送部とを備え、前記原稿搬送部によって原稿読取領域に搬送される原稿を前記原稿読取部によって読み取る原稿読取装置であって、前記原稿読取領域において前記原稿読取部の上側に透明な読取板が設けられ、前記原稿読取領域を通過した原稿を、前記原稿搬送部であって、前記読取板より原稿搬送方向の下流側に設けた下流側原稿搬送部へ案内するための可撓性部材が設けられており、前記可撓性部材は、前記下流側原稿搬送部から上流側に延長するように、該可撓性部材の下流側端部が前記下流側原稿搬送部に取り付けられており、前記可撓性部材と、前記下流側原稿搬送部と前記読取板との間に設けられた部材との間には空間が設けられており、前記可撓性部材の上流側端部は、前記読取板の上面よりも下方に位置し、且つ、前記原稿搬送方向における前記読取板の下流側側面との間に隙間を有していることを特徴としている。
【００１２】
上記の構成によれば、原稿読取領域を通過した原稿は、可撓性部材に当接することによって下流側原稿搬送部へ案内される。そして、可撓性部材の上流側端部は、読取板の上面よりも下方に位置しているため、読取板に近接させた可撓性部材によって原稿の案内が可能となり、原稿読取装置が大型化することを回避できる。
【００１３】
また、上記原稿読取装置では、前記可撓性部材の上流側端部は、自由端である構成とすることができる。
【００１４】
また、上記原稿読取装置は、前記部材には傾斜面が形成されており、前記空間は、前記可撓性部材と前記傾斜面との間に設けられている構成とすることができる。
【００１５】
また、上記原稿読取装置では、前記部材は、前記可撓性部材の下方に設けられ、且つ、水平部と、前記水平部の下流側に設けられて前記水平部から上方に立設する立設部とからなり、前記可撓性部材の上流側端部は、前記読取板の前記下流側側面と前記立設部との間に位置する構成とすることができる。
【００１６】
また、上記原稿読取装置は、前記読取板の下流側であって、前記可撓性部材によって覆われる面に、透明な原稿載置板上に載置される原稿の載置位置、または原稿サイズを示す指標が形成されている構成とすることができる。
【００１７】
上記の構成によれば、透明な読取板に対して、下流側のすぐ横の領域に指標を形成することになり、透明な原稿載置板と透明な読取板との間の寸法を縮小し、原稿読取装置の小型化を図ることができる。
【００１８】
また、上記の課題を解決するために、本発明の画像形成装置は、上記記載の原稿読取装置を備えていることを特徴としている。
【発明の効果】
【００１９】
本発明の原稿読取装置は、原稿読取領域を通過した原稿は、可撓性部材に当接することによって下流側原稿搬送部へ案内される。そして、可撓性部材の上流側端部は、読取板の上面よりも下方に位置しているため、読取板に近接させた可撓性部材によって原稿の案内が可能となり、原稿読取装置が大型化することを回避できるといった効果を奏する。
【図面の簡単な説明】
【００２０】
【図１】実施の形態１に係る原稿読取装置の概略構成を示す断面図である。
【図２】実施の形態１の原稿読取装置において、原稿読取部の上面を示す斜視図である。
【図３】実施の形態１の原稿読取装置における原稿読取領域付近の拡大図である。
【図４】実施の形態１の変形例を示すものであり、原稿読取装置における原稿読取領域付近の拡大図である。
【図５】実施の形態２の原稿読取装置における原稿読取領域付近の拡大図である。
【図６】実施の形態３の原稿読取装置における原稿読取領域付近の拡大図である。
【図７】従来の原稿読取装置における原稿読取領域付近の拡大図である。
【発明を実施するための形態】
【００２１】
〔実施の形態１〕
以下、本発明の実施の形態１について、図面を参照して詳細に説明する。尚、以下の説明において、上流側および下流側とは、原稿の搬送方向における上流側および下流側を示している。
【００２２】
図１は、本実施の形態１に係る原稿読取装置の概略構成を示す断面図である。上記原稿読取装置は、複写機、複合機、ファクシミリ装置などの画像形成装置において備えられ、原稿の複写時やファクス送信時等に原稿の画像を読み取る。
【００２３】
原稿読取装置は、図１に示すように、原稿読取部１００と、その上面に配置されるＡＤＦ（Auto Document Feeder：自動原稿搬送装置）１１０とからなる。ＡＤＦ１１０は、その奥一辺をヒンジ（図示せず）により原稿読取部１００の奥一辺に軸支され、その手前部分を上下させることにより開閉される。ＡＤＦ１１０が開かれたときには、原稿読取部１００のプラテンガラス１０１が開放され、このプラテンガラス（透明な原稿載置板）１０１上に原稿が載置される。図２は、ＡＤＦ１１０を取り外した状態での原稿読取部１００の上面を示す斜視図である。
【００２４】
上記原稿読取装置は、原稿読取部１００のプラテンガラス１０１上に載置された原稿の画像を、第１走査ユニット（光源ユニット）１０２および第２走査ユニット１０３を走査しながら読み取る手動読取モードと、ＡＤＦ１１０の原稿トレイ１１１に載置された原稿束から原稿を１枚ずつ原稿読取領域に搬送して読み取る自動読取モードを有している。
【００２５】
自動読取モードでは、原稿トレイ１１１から搬送される原稿は、搬送路から原稿読取領域に送られ、第１走査ユニット１０２、第２走査ユニット１０３、結像レンズ１０４、及びＣＣＤ（Charge Coupled Device）１０５により原稿画像が読み取られる。画像を読み
取られた原稿はさらに搬送され、排紙トレイ１１２上へ排出される。
【００２６】
図３は、本実施の形態１の原稿読取装置における原稿読取領域付近の拡大図である。本実施の形態１の原稿読取装置では、原稿読取領域において原稿読取部１００の上面にコンタクトガラス（透明な読取板）１０６が配されている。コンタクトガラス１０６の下方には第１走査ユニット１０２が位置しており、ＡＤＦ１１０の上流側搬送路１１３から原稿読取領域に搬送されてくる原稿は、コンタクトガラス１０６上を通過する際に画像が読み取られる。
【００２７】
原稿読取部１００の上面において、コンタクトガラス１０６の下流側には凹部１０７が設けられている。また、ＡＤＦ１１０の下流側搬送路１１４においては、下側ガイド材１１４Ａの上流側先端部にマイラー（可撓性部材）１１５が設けられている。
【００２８】
マイラー１１５は、その下流側端部を下側ガイド材１１４Ａの原稿ガイド面に貼付され、原稿搬送方向の上流側から下流側に向けて上向きに傾斜するように配置されている。また、ＡＤＦ１１０を閉じた状態で、マイラー１１５は凹部１０７の上面１０７Ａを覆う位置に配置され、且つ、マイラー１１５の上流側端部はコンタクトガラス１０６の上面よりも下方に位置する。さらに、マイラー１１５と上面１０７Ａとの間には所定の空間が設けられており、この空間によってマイラー１１５は上面１０７Ａ側に向けて撓むことが可能となっている。上記構成により、自動読取モードでの原稿搬送時には、コンタクトガラス１０６上を通過した原稿は、マイラー１１５に当接することによって搬送方向を上方に向けられ、ＡＤＦ１１０の下流側搬送路１１４へ案内される。
【００２９】
また、マイラー１１５と凹部１０７の上面１０７Ａとの間には所定の空間が設けられているため、原稿の先端がマイラー１１５に衝突する際には、マイラー１１５が撓んでその衝撃を吸収する。これにより、原稿の先端がマイラー１１５に衝突する際の衝撃によって搬送速度が変化することを抑制し、読取画像における画像ブレを防止することができる。また、マイラー１１５が撓んで原稿衝突時の衝撃を吸収する構成であるため、マイラー１１５の傾斜を必要以上に緩やかにすることもなく、原稿読取装置が大型化することも回避できる。
【００３０】
尚、図３に示す構成では、凹部１０７の上面１０７Ａはマイラー１１５と略平行な傾斜面となっているが、本発明はこれに限定されるものではない。凹部１０７は、マイラー１１５の上流側端部をコンタクトガラス１０６の上面よりも下方に位置させるために設けられるものであって、その形状は特に限定されるものではない。
【００３１】
例えば図４に示すように、コンタクトガラス１０６とプラテンガラス１０１との間の部材１０８を段差状として、凹部１０７の底面１０７Ｂを水平面としても良い。この場合、マイラー１１５は、上流側端部以外であれば部材１０８に接していても良い。すなわち、マイラー１１５は、少なくとも搬送される原稿と衝突する箇所が撓むように上流側端部（下端）が自由端となっていれば良い。
【００３２】
〔実施の形態２〕
実施の形態１に係る原稿読取装置では、マイラー１１５はＡＤＦ１１０に取り付けられているが、本発明はこれに限定されるものではない。本実施の形態２では、実施の形態１のマイラー１１５に代えて、原稿読取部１００にマイラーを取り付けた構成について説明する。尚、マイラー以外の構成については、実施の形態１とほぼ同じ構成であるため、ここでは詳細な説明を省略する。
【００３３】
図５は、本実施の形態２の原稿読取装置における原稿読取領域付近の一例を示す拡大図である。図５に示す原稿読取装置では、コンタクトガラス１０６上にマイラー１１６を設けている。マイラー１１６は、断面「く」の字形の折れ曲がった形状をしており、その一方の面１１６Ａがコンタクトガラス１０６の上面を覆うように配置されている。そして、マイラー１１６の他方の面１１６Ｂは、コンタクトガラス１０６の下流端から上方に向けて傾斜している。尚、面１１６Ａは、コンタクトガラス１０６の上面に直接接着するのではなく、コンタクトガラス１０６の周辺で接着領域を設けることが好ましい。また、マイラー１１６は、透明の部材として設けられる。
【００３４】
マイラー１１６の面１１６Ｂと凹部１０７の上面１０７Ａとの間には所定の空間が設けられており、この空間によって面１１６Ｂは上面１０７Ａ側に向けて撓むことが可能となっている。尚、マイラー１１６は、面１１６Ｂの下流側端部（上端）が自由端となっていることで、撓むことが可能となっている。自動読取モードでの原稿搬送時には、コンタクトガラス１０６上を通過した原稿は、面１１６Ｂに当接することによって搬送方向を上方に向けられ、ＡＤＦ１１０の下流側搬送路１１４へ案内される。
【００３５】
また、原稿の先端が面１１６Ｂに衝突する際には、面１１６Ｂが撓んでその衝撃を吸収する。これにより、原稿の先端が面１１６Ｂに衝突する際の衝撃によって搬送速度が変化することを抑制し、読取画像における画像ブレを防止することができる。また、面１１６Ｂの傾斜を必要以上に緩やかにすることもなく、原稿読取装置が大型化することも回避できる。
【００３６】
〔実施の形態３〕
図６は、本実施の形態３の原稿読取装置における原稿読取領域付近の他の例を示す拡大図であり、実施の形態２の原稿読取装置の変形例である。図６に示す原稿読取装置では、コンタクトガラス１０６の側方に原稿読取部１００にマイラー１１７を設けている。マイラー１１７は、断面「く」の字形の折れ曲がった形状をしており、その一方の面１１７Ａがコンタクトガラス１０６の下流側側面に接着されている。そして、マイラー１１７の他方の面１１７Ｂは、コンタクトガラス１０６の下流端から上方に向けて傾斜している。
【００３７】
マイラー１１７の面１１７Ｂと凹部１０７の上面１０７Ａとの間には所定の空間が設けられており、この空間によって面１１７Ｂは上面１０７Ａ側に向けて撓むことが可能となっている。尚、マイラー１１７は、面１１７Ｂの下流側端部（上端）が自由端となっていることで、撓むことが可能となっている。自動読取モードでの原稿搬送時には、コンタクトガラス１０６上を通過した原稿は、面１１７Ｂに当接することによって搬送方向を上方に向けられ、ＡＤＦ１１０の下流側搬送路１１４へ案内される。
【００３８】
また、原稿の先端が面１１７Ｂに衝突する際には、面１１７Ｂが撓んでその衝撃を吸収する。これにより、原稿の先端が面１１７Ｂに衝突する際の衝撃によって搬送速度が変化することを抑制し、読取画像における画像ブレを防止することができる。また、面１１７Ｂの傾斜を必要以上に緩やかにすることもなく、原稿読取装置が大型化することも回避できる。
【００３９】
〔実施の形態４〕
本実施の形態４に係る原稿読取装置では、原稿読取装置のさらなる小型化に寄与する構成について説明する。原稿読取装置の手動読取モードでは、原稿読取部１００のプラテンガラス１０１上に原稿を載置し、第１走査ユニット（光源ユニット）１０２および第２走査ユニット１０３を走査しながら原稿画像の読取を行う。
【００４０】
また、原稿読取装置では、プラテンガラス１０１上における原稿の載置位置および原稿サイズのどちらか、あるいはその両方を確認できるようにするための指標が設けられている。該指標の一部はプラテンガラス１０１の左側、すなわちプラテンガラス１０１とコンタクトガラス１０６との間の領域に設けられている。
【００４１】
従来の原稿読取装置では、上記指標は、図７に示す傾斜面５０２とは別の面５０３に形成される。このため、プラテンガラス１０１とコンタクトガラス１０６との間において、傾斜面５０２と指標を形成する面５０３とが並んで配置され、原稿読取装置の小型化の障害となっていた。
【００４２】
尚、傾斜面５０２に指標を形成して、面５０３の幅寸法を縮小し、原稿読取装置の小型化を図ることも考えられるが、この場合には、以下のような問題がある。
・指標を印刷等によって設けた場合、傾斜面５０２によって案内される原稿が指標を擦ることになり、長期の使用によって印刷が剥がれて指標が読みづらくなる。
・指標を彫り文字等によって設けた場合、傾斜面５０２によって案内される原稿が彫り文字の凹凸に引っかかり、原稿搬送の障害となる虞がある。
【００４３】
本実施の形態４に係る原稿読取装置では、図３，図５または図６に示す上面１０７Ａ、または図４に示す底面１０７Ｂに指標が形成される。すなわち、コンタクトガラス１０６に対して、下流側のすぐ横の領域に指標が形成される。
【００４４】
本実施の形態４に係る原稿読取装置では、自動読取モード時にはこれらの面はマイラーによって覆われ、これらの面に原稿が接して搬送されることはない。したがって、原稿が指標の形成面を擦って印刷が剥がれることもなく、原稿が彫り文字の凹凸に引っかかることもない。
【００４５】
そして、コンタクトガラス１０６に対して、下流側のすぐ横の領域に指標が形成されることにより、プラテンガラス１０１とコンタクトガラス１０６との間の寸法を縮小し、原稿読取装置の小型化を図ることが可能となる。
【００４６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４７】
１００    原稿読取部
１０１    プラテンガラス（透明な原稿載置板）
１０６    コンタクトガラス（透明な読取板）
１０７    凹部
１１０    ＡＤＦ（原稿搬送部）
１１３    上流側搬送路
１１４    下流側搬送路（下流側原稿搬送部）
１１５〜１１７    マイラー（可撓性部材）
【図１】
2019088010.tif 000003
【図２】
2019088010.tif 000004
【図３】
2019088010.tif 000005
【図４】
2019088010.tif 000006
【図５】
2019088010.tif 000007
【図６】
2019088010.tif 000008
【図７】
2019088010.tif 000009